(57)【要約】【課題】            差込み端子と他の電源プラグのための接続口（挿入口）を有する電源プラグは、接続口（挿入口）に通じる受け端子の短絡防止のため、外ケースと内ケースの二重構造としている。この二重構造は電源プラグを複雑な大型構造とさせている。【解決手段】        本体ケース（２２）内に配される対の受け端子（３０，３０）の一方の受け端子（３０）の対向片を囲むキャップ（３２）を設ける。熱硬化性樹脂製のキャップ（３２）は隣り合う受け端子（３０）との短絡を防止するよう、対向片をその貫通孔（３３）に挿入することで簡単に取り付けることができる。【選択図】          図２
2006120330.tif 000002
【特許請求の範囲】
【請求項１】
電源接続部を有する電源プラグにおいて、前記電源接続部の内部に短絡防止キャップを有したことを特徴とする電源プラグ。
【請求項２】
請求項１に記載の電源プラグにおいて、電源プラグ本体が熱硬化性樹脂材からなることを特徴とする電源プラグ。
【請求項３】
本体ケースと、本体ケースより延出する対の差込み端子と、本体ケース内に配されかつ差込み端子に電気的に接続される対の導体と導電関係の芯線を有する電源コードと、各導体と個別に電気的に導通関係の対の受け端子と、および少なくとも一方の受け端子を他方の受け端子から隔離させるキャップと、本体ケースに止着されかつ対の受け端子に通じる他の電源プラグの差込み端子用挿入口を有するカバーケースとを備える電源プラグ。
【請求項４】
キャップがカバーの内側の壁部により保持されている請求項３記載の電源プラグ。
【請求項５】
他の受け端子が本体ケースと一体の隔壁により少なくともその一部が覆われている請求項４記載の電源プラグ。
【発明の詳細な説明】
【技術分野】
【０００１】
本発明は、電子機器、配線器具などに用いられる接続部付き電源プラグにおいて、安全に使用でき、かつ簡単な構造の電源プラグに関する。
【背景技術】
【０００２】
一般に、例えば、電子機器などに電源を供給するためには電子機器の電源プラグを、コンセント（ソケット）に差し込んで使用するが、電子機器近郊に他の電子機器を接続し易くするために、電源プラグ本体に接続口を設けた電源プラグ（アドンプラグ）が用いられる。よって、他の電子機器への電源供給は、電源プラグ（アドンプラグ）の接続口（差込み端子挿入口）に電源プラグの端子を差し込むことにより可能となる。
【０００３】
従来の電源プラグ（アドンプラグ）の市販例を図５に示す。電源プラグ（アドンプラグ）１は、外本体ケース２、外カバーケース３、内本体ケース４、内カバーケース５を有す。内本体ケース４は外本体ケース２内に挿入され、内カバーケース５は内本体ケース４に取り付けられ、外カバーケース３が内カバーケース５を覆いかつ外本体ケース２に溶着される。
内カバーケース５は、対の端子挿入口６，６を有し、挿入口６，６を画定する壁部が外ケース２，３により担持される。
【０００４】
内本体ケース４は、対の差込み端子７，７と、該端子７，７と導電関係の対の導体８，８と、導体８，８に個別に電気的に接続される芯線９，９を有する電源コード１０と、導体８，８に個別に電気的に接続される受け端子１１，１１を有す。
各受け端子１１，１１は挿入口６，６に通じ、他の電源プラグの差込み端子７，７を挿入口６，６に差し込むことで両者の電気的導通関係が確立される。コードブッシュ１２は外本体ケース２と外カバーケース３との突き合わせ面で保持される。
【０００５】
【特許文献１】実開昭４８−５７６８３号公報
【特許文献２】実開昭５０−１４９８８号公報
【特許文献３】実開昭５１−１４１３９１号公報
【特許文献４】実開昭６０−５９４９０号公報
【発明の開示】
【発明が解決しようとする課題】
【０００６】
従来の接続口を有する電源プラグ（アドンプラグ）においては、電源プラグの内カバーケースに接続口を有しているため、電源プラグ本体内部のスペースに限りがあり、接続口の内部導電部分の短絡を防ぐために絶縁の対策および、電源プラグ本体の強度を上げるために、熱硬化性樹脂で形成した内部本体を、さらに、熱可塑性樹脂で覆うなどして、構造が複雑になるという不具合があった。
【課題を解決するための手段】
【０００７】
本発明は、前記問題を解決するために、電源プラグ本体の電源接続口内部に短絡防止キャップを配する構成を採用する。
【０００８】
さらに、本発明によれば、本体ケースと、本体ケースより延出する対の差込み端子と、本体ケース内に配されかつ差込み端子に電気的に接続される対の導体と導電関係の芯線を有する電源コードと、各導体と個別に電気的に導通関係の対の受け端子と、および少なくとも一方の受け端子を他方の受け端子から隔離させるキャップと、本体ケースに止着されかつ対の受け端子に通じる他の電源プラグの差込み端子用挿入口を有するカバーケースとを備える電源プラグが提供される。
【０００９】
好ましくは、キャップがカバーの内側の壁部により保持されている。
【発明の効果】
【００１０】
本発明の電源プラグによれば、電源プラグ内の接続端子（受け端子）、接続口（挿入口）の電気的短絡を防ぐために、絶縁キャップを有することにより、電源プラグ本体のケースを二重構造にする必要がなくなり、例えば、本体ケースの材質を熱硬化性樹脂などで形成すれば、耐熱構造でしかも強度の強い電源プラグができ、部品点数が少なく、安全性の高い商品の供給が可能となる。又、電源プラグ本体の小型化が容易となる。
【発明を実施するための最良の形態】
【００１１】
本発明の一例の電源プラグ２１は、図１乃至３に示すように、箱形の本体ケース２２、箱形のカバーケース２３、ブッシュ２５付きの電源コード２４、本体ケース２２より延出する対の差込み端子２６，２６、カバーケース２３に設けた接続口、即ち端子の挿入口２７，２７を有す。両ケース２２，２３は熱硬化性樹脂材よりなる。
差込み端子２６，２６は、本体ケース２２内の対の導体２８，２８に個別に電気的に接続される。各導体２８，２８は電源コード２４の各芯線２９，２９に導電関係に接続されている。
【００１２】
本体ケース２２内には対の離間した受け端子３０，３０が配される。受け端子３０，３０は、導電板の平面視略コの字状にプレス成形したもので対向片を接近させかつ対向片に弾力を持たせる形状としたものである。
電源コード２４のブッシュ２５を本体ケース２２の側壁に保持させる。本体ケース２２は平面視略コの字状の隔壁３１を有し、この隔壁３１内に一方の受け端子３０を配し、隔壁３１の開口部を挿入口２７の方向と同一方向に向ける。
【００１３】
本体ケース２２内に合成樹脂製のキャップ３２を、他方の受け端子３０の対向片を少なくとも囲むよう配す。キャップ３２は、図４に示すように、本体ケース２２とは別個に成形される。
キャップ３２は、方形の貫通孔３３、前壁部３４、側壁部３５、他方の側壁部の傾斜面３６を有す。前壁部３４と側壁部３５とは、本体ケース２２のコーナー部の内壁面に接するよう配される。キャップ３２は、隣り合う受け端子３０との短絡防止の役割をなす電気絶縁体である。キャップ３２の保持のため、カバーケース２３の内壁部により、キャップ３２の上側を挟み込むようにするとよい。
【００１４】
キャップ３２の取付は、本体ケース２２に配した差込み端子２６の一方と、該端子２６に接続された導体２８及び受け端子３０とを、一方の端子２６を押し上げることで、一方の受け端子３０を浮き上がらせ、一方の受け端子３０の対向片をキャップ３２の貫通孔３３に挿入し、キャップ３２を本体ケース２２内に押し込むことでなされる。好ましくは、本体ケース２２に、キャップ３２の下部を受ける凹部を設け、本体ケース２２に対するキャップ３２の位置を一定とさせる。
【００１５】
キャップ３２を一方の受け端子３０を囲むよう取り付けた後、両ケース２２，２３をビス止めする。使用に際しては、差込み端子２６，２６をコンセントに差し込むことで、受け端子３０，３０に電源が供給される。このため、他の電子機器の電源プラグを挿入口２７，２７に差し込むことで、他の電子機器への電源の供給が可能となる。一方の受け端子３０はキャップ３２より他方の受け端子３０と短絡することなく電源プラグ２１を安全に用いることができる。キャップ３２は薄肉でよく本体ケース２２を大型とさせることはない。
【図面の簡単な説明】
【００１６】
【図１】本発明の一例の電源プラグの斜視図である。
【図２】図１の例の分解斜視図である。
【図３】本体ケースの平面図である。
【図４】キャップの斜視図である。
【図５】従来例の電源プラグを示す分解斜視図である。
【符号の説明】
【００１７】
２１    電源プラグ
２２    本体ケース
２３    カバーケース
２４    電源コード
２６    差込み端子
２７    挿入口（接続口）
２８    導体
２９    芯線
３０    受け端子
３１    隔壁
３２    キャップ
３３    貫通孔
【図１】
2006120330.tif 000003
【図２】
2006120330.tif 000004
【図３】
2006120330.tif 000005
【図４】
2006120330.tif 000006
【図５】
2006120330.tif 000007